(57)【要約】  【課題】構成の簡略化および省スペース化が可能なアームレスト装置を提供する。  【解決手段】ケース11を上方向に付勢するねじりコイルばね27が、ケース11の可動方向を軸方向とするロックレバー29の回動に伴って回動して回転式ラッチ28によるシートに対するケース11の上下方向位置の固定を解除するとともに回転式ラッチ28を復帰方向に付勢し、復帰方向への回動によりシートに対するケース11の上下方向位置を回転式ラッチ28で固定するとともにロックレバー29の回動を復帰させる機能を兼ねることにより、構成の簡略化および省スペース化ができる。  【選択図】図１
2005152105.tif 000002
【特許請求の範囲】
【請求項１】
シートに対応して設けられたアームレスト装置であって、
シートに対し上下方向に可動的に設けられた本体部と、
本体部にこの本体部の可動方向を軸として回動可能に設けられたレバーと、
シートに対する本体部の上下方向位置を固定可能なロック機構と、
本体部を上方向に付勢し、レバーの回動に伴って少なくとも一部が回動してロック機構によるシートに対する本体部の上下方向位置の固定を解除するとともにロック機構を復帰方向に付勢し、復帰方向への回動によりシートに対する本体部の上下方向位置をロック機構で固定するとともにレバーの回動を復帰させる付勢手段と
を具備したことを特徴とするアームレスト装置。
【請求項２】
レバーは、本体部の近傍で水平方向に回動可能に設けられている
ことを特徴とする請求項１記載のアームレスト装置。
【請求項３】
付勢手段は、ねじりコイルばねであり、
レバーは、ねじりコイルばねに一部が挿入されている
ことを特徴とする請求項１または２記載のアームレスト装置。
【請求項４】
ロック機構は、ねじりコイルばねの一部にねじりコイルばねと一体に設けられた固定爪である
ことを特徴とする請求項３記載のアームレスト装置。
【請求項５】
ロック機構は、ねじりコイルばねと別体成形され、ねじりコイルばねに一体的に嵌着された固定爪である
ことを特徴とする請求項３記載のアームレスト装置。
【発明の詳細な説明】
【技術分野】
【０００１】
本発明は、シートに対応して設けられたアームレスト装置に関する。
【背景技術】
【０００２】
従来、例えば作業機械などに用いられるアームレスト装置は、シートの側部に設けられたコンソールの上部に収容された本体部を備えている。また、コンソール内の本体部の下部には、この本体部を上方に付勢するスプリングが設けられている。さらに、本体部の後部には、操作レバーが上下方向に回動可能に設けられている。また、この操作レバーは、上下方向に操作することで先端に設けられたロックピンが前後に進退し、このロックピンの進退によりスプリングの付勢による本体部の上下動をロックしたり、このロックを解除したりする。さらに、操作レバーには、この操作レバーの回動によりこの操作レバーを付勢し、この操作レバーの位置を復帰させる位置復帰用のスプリングが設けられている（例えば、特許文献１参照。）。
【特許文献１】特開２００１−２６９４９号公報（第３−５頁、図３）
【発明の開示】
【発明が解決しようとする課題】
【０００３】
しかしながら、上述のアームレスト装置では、本体部を上方に付勢するスプリングと、操作レバーの位置復帰用のスプリングとをそれぞれ設ける必要があり、構成の簡略化および省スペース化が容易でないという問題点を有している。
【０００４】
本発明は、このような点に鑑みなされたもので、構成の簡略化および省スペース化が可能なアームレスト装置を提供することを目的とするものである。
【課題を解決するための手段】
【０００５】
請求項１記載の発明は、シートに対応して設けられたアームレスト装置であって、シートに対し上下方向に可動的に設けられた本体部と、本体部にこの本体部の可動方向を軸として回動可能に設けられたレバーと、シートに対する本体部の上下方向位置を固定可能なロック機構と、本体部を上方向に付勢し、レバーの回動に伴って少なくとも一部が回動してロック機構によるシートに対する本体部の上下方向位置の固定を解除するとともにロック機構を復帰方向に付勢し、復帰方向への回動によりシートに対する本体部の上下方向位置をロック機構で固定するとともにレバーの回動を復帰させる付勢手段とを具備したアームレスト装置であり、シートに対し上下方向に可動的に設けられた本体部を上方向に付勢する付勢手段が、本体部の可動方向を軸とするレバーの回動に伴って回動してロック機構によるシートに対する本体部の上下方向位置の固定を解除するとともにロック機構を復帰方向に付勢し、復帰方向への回動によりシートに対する本体部の上下方向位置をロック機構で固定するとともにレバーの回動を復帰させる機能を兼ねることにより、構成の簡略化および省スペース化が可能になる。
【０００６】
請求項２記載の発明は、請求項１記載のアームレスト装置において、レバーが、本体部の近傍で水平方向に回動可能に設けられているものであり、レバーと本体部とを握った状態で本体部を上下方向に操作することが可能になり、操作性が向上する。
【０００７】
請求項３記載の発明は、請求項１または２記載のアームレスト装置において、付勢手段が、ねじりコイルばねであり、レバーが、ねじりコイルばねに一部が挿入されているものであり、付勢手段をねじりコイルばねとしてこのねじりコイルばねにレバーの一部を挿入することで、構成の簡略化および省スペース化が可能になる。
【０００８】
請求項４記載の発明は、請求項３記載のアームレスト装置において、ロック機構が、ねじりコイルばねの一部にねじりコイルばねと一体に設けられた固定爪であるものであり、ロック機構をねじりコイルばねの一部にねじりコイルばねと一体に設けた固定爪とすることで、例えば固定爪をねじりコイルばねと別体に設ける場合と比較して、製造時に固定爪をねじりコイルばねに組み付けるなどの必要がなく、組み付け性が向上する。
【０００９】
請求項５記載の発明は、請求項３記載のアームレスト装置において、ロック機構が、ねじりコイルばねと別体成形され、ねじりコイルばねに一体的に嵌着された固定爪であるものであり、ロック機構をねじりコイルばねと別体成形し、このねじりコイルばねに一体的に嵌着することで、例えば固定爪をねじりコイルばねと一体に設ける場合と比較して、固定爪を容易に成形することが可能になる。
【発明の効果】
【００１０】
請求項１記載の発明によれば、本体部を上方向に付勢する付勢手段が、本体部の可動方向を軸とするレバーの回動に伴って回動してロック機構によるシートに対する本体部の上下方向位置の固定を解除するとともにロック機構を復帰方向に付勢し、復帰方向への回動によりシートに対する本体部の上下方向位置をロック機構で固定するとともにレバーの回動を復帰させる機能を兼ねることにより、構成の簡略化および省スペース化ができる。
【００１１】
請求項２記載の発明によれば、レバーと本体部とを握った状態で本体部を上下方向に操作でき、操作性を向上できる。
【００１２】
請求項３記載の発明によれば、付勢手段をねじりコイルばねとしてこのねじりコイルばねにレバーの一部を挿入することで、構成を簡略化および省スペース化ができる。
【００１３】
請求項４記載の発明によれば、ロック機構をねじりコイルばねの一部にねじりコイルばねと一体に設けた固定爪とすることで、例えば固定爪をねじりコイルばねと別体に設ける場合と比較して、製造時に固定爪をねじりコイルばねに組み付けるなどの必要がなく、組み付け性を向上できる。
【００１４】
請求項５記載の発明によれば、ロック機構をねじりコイルばねと別体成形し、このねじりコイルばねに一体的に嵌着することで、例えば固定爪をねじりコイルばねと一体に設ける場合と比較して、固定爪を容易に成形できる。
【発明を実施するための最良の形態】
【００１５】
以下、本発明を図１乃至図３に示された実施の形態を参照しながら詳細に説明する。
【００１６】
図３は、シート１を示し、このシート１は、例えば車両としての作業機械である油圧ショベルなどの運転席となるものである。なお、以下、前後方向および幅方向は、シート１の前後方向および幅方向として説明する。
【００１７】
シート１は、ベース部２、このベース部２の上部に前後方向に摺動可能に設けられた座部３、および、この座部３の後部に、この座部３に対して前後方向に回動して傾斜可能に設けられた背当部４を備えている。
【００１８】
また、シート１の側部には、コンソール５が設けられ、このコンソール５の上部には、アームレスト装置６が取り付けられている。
【００１９】
アームレスト装置６は、本体部としてのケース11、このケース11の上部に設けられた肘掛部12、ケース11の後部の下方に設けられた高さ調節機構13を備えている。
【００２０】
ケース11は、前後方向に長手状に形成され、シート１の背当部４の前側近傍から前方に突設されている。
【００２１】
肘掛部12は、例えばウレタンなどの比較的軟質の合成樹脂で前後方向に長手状に形成され、作業者すなわちオペレータが上面に腕を乗せる部分である。
【００２２】
高さ調節機構13は、コンソール５の後部から上方に突設された有底角筒状の収容筒部21と、ケース11の後部から後方に向けて下方に傾斜し収容筒部21に下端部が挿入される突出部としての角筒状の突出筒部22とを備えている。
【００２３】
収容筒部21は、シート１に対して相対的に固定されている。また、この収容筒部21は、上端開口の内縁部に軸受部材としての図示しない上部樹脂スリーブが取り付けられている。この上部樹脂スリーブは、突出筒部22の上下動を案内すなわちガイドする。
【００２４】
突出筒部22は、上部樹脂スリーブ内に下端部が挿入され、収容筒部21に対して上下動可能となっている。
【００２５】
また、突出筒部22の下端部の外側には、軸受部材としての図示されない下部樹脂スリーブが取り付けられている。この下部樹脂スリーブは、ケース11の上下動に伴って突出筒部22とともに上下動して収容筒部21の内側面に摺接して突出筒部22の上下動をガイドする。
【００２６】
さらに、突出筒部22の上端部は、回動軸23によりケース11の後端部に対して相対的に回動可能に軸支されている。
【００２７】
そして、収容筒部21内には、取付ブラケット26が中心軸方向に向けて突設されている。この取付ブラケット26には、付勢手段としてのねじりコイルばね27の一端部である下端部が連結されている。
【００２８】
このねじりコイルばね27は、上端部が突出筒部22の内部に固定されている。また、このねじりコイルばね27は、収容筒部21および突出筒部22の軸方向に直線状に配置され、突出筒部22を介してケース11を伸び方向である上方向に付勢するものである。また、このねじりコイルばね27には、図１および図２に示されるように、長手方向の中心域にロック機構としての固定爪である回転式ラッチ28が一体に設けられている。この回転式ラッチ28は、ねじりコイルばね27の径方向に向けて突出し、先端部が周方向に鉤状に屈曲されている。さらに、このねじりコイルばね27内には、レバーとしてのロックレバー29の一部が挿入されている。このため、ロックレバー29は、ケース11の近傍でこのケース11の可動方向である上下方向を軸とする方向、すなわちねじりコイルばね27の周方向、かつ水平方向に回動可能となっている。
【００２９】
ここで、ロックレバー29は、例えば金属などの剛性を有する部材で形成され、ねじりコイルばね27内に挿通された円柱状の回動軸部31、この回動軸部31の下側寄りの位置から径方向に突設された係合突出部32、回動軸部31の上端部から水平に後方向に突設された後方突出部33、この後方突出部33の先端から側方に突設された側方突出部34、および、この側方突出部34から前方に突設された前方突出部35を備え、この前方突出部35の先端部には、取手部36が設けられている。
【００３０】
回動軸部31は、ねじりコイルばね27の軸寸法よりも短い軸寸法を有し、ねじりコイルばね27の内径寸法よりも小さい外径寸法を有している。そして、この回動軸部31は、ロックレバー29を回動させた際の回動軸となるものである。
【００３１】
係合突出部32は、ねじりコイルばね27の回転式ラッチ28に係合し、ロックレバー29の回動軸部31が周方向へ回動することでねじりコイルばね27を周方向にねじりつつ回転式ラッチ28を回動させるものである。
【００３２】
後方突出部33は、突出筒部22の後部にこの突出筒部22の軸方向に設けられた図示しない長孔状の嵌合孔部に嵌合して突出筒部22の後方に突出している。
【００３３】
側方突出部34は、後方突出部33の先端部からシート１と反対側に向けて略水平に突設されている。
【００３４】
前方突出部35は、ケース11のシート１と反対側の側方に位置している。
【００３５】
取手部36は、オペレータがロックレバー29を回動させる際の操作部となるものである。
【００３６】
また、収容筒部21および突出筒部22には、回転式ラッチ28が係脱可能な係合凹部45，46がそれぞれ設けられている。これら係合凹部45，46は、回転式ラッチ28の係合状態では、収容筒部21と突出筒部22とを互いに固定することでシート１に対するケース11の上下方向位置を固定し、回転式ラッチ28の非係合状態では、収容筒部21を介してケース11が突出筒部22すなわちシート１に対して上下方向に可動可能となっている。
【００３７】
次に、上記図１乃至図３に示された実施の形態の作用を説明する。
【００３８】
作業者がケース11および肘掛部12とともにロックレバー29を握ってこのロックレバー29を図１の想像線に示されるようにケース11に接近させるように水平方向に回動させると、このロックレバー29の回動に伴って回動軸部31の中心軸を中心として係合突出部32が回動し、回転式ラッチ28が回動して係合凹部45，46から外れる。
【００３９】
このとき、ねじりコイルばね27は周方向にねじられて回転方向の弾性力が貯えられ、回動を復帰させる方向にロックレバー29を付勢する。
【００４０】
この状態で、ケース11は上下動可能となるので、作業者がケース11を押さえ付ける外力を適宜緩めると、ねじりコイルばね27の上方向の付勢によりケース11が上方に移動し、作業者がケース11を押さえ付ける外力をねじりコイルばね27の付勢に抗して大きくすると、ケース11が下方に移動する。
【００４１】
そして、作業者が所定の位置でロックレバー29を解放すると、ねじりコイルばね27の回転式ラッチ28によりロックレバー29の係合突出部32が復帰方向へと回動することでロックレバー29が復帰方向に回動し、回転式ラッチ28が所定の係合凹部45，46にそれぞれ係合して、突出筒部22が収容筒部21に対して固定されることで、シート１に対するケース11の上下動がロックされる。
【００４２】
上述したように、上記図１乃至図３に示された実施の形態では、ケース11を上方向に付勢するねじりコイルばね27が、ケース11の可動方向を軸とするロックレバー29の回動に伴って回動して回転式ラッチ28の係合凹部45，46への係合によるシート１に対するケース11の上下方向位置の固定を解除するとともに回転式ラッチ28を復帰方向に付勢し、復帰方向への回動によりシート１に対するケース11の上下方向位置を、回転式ラッチ28を係合凹部45，46に係合させて固定するとともにロックレバー29の回動を復帰させる機能を兼ねる構成とした。
【００４３】
すなわち、ねじりコイルばね27が、ケース11の上下操作力を補助すなわちアシストし、かつ、ケース11の上下方向位置を固定すなわちロックする動作をもアシストすることで、それぞれの機能を有する互いに異なる付勢手段などを設ける構成と比較して、構成の簡略化および省スペース化ができる。
【００４４】
しかも、付勢手段としてねじりコイルばね27を用いることで、アームレスト装置６を比較的簡単な構成とすることができる。
【００４５】
ロックレバー29をケース11の近傍で水平方向に回動可能に設けることで、ロックレバー29とケース11とを握った状態でアームレスト装置６のケース11を上下方向に操作できるので、操作性を向上できる。
【００４６】
また、ロックレバー29の前方突出部35をケース11の後部から前方に突出させることで、オペレータがケース11を押し下げる際の接点となる肘を肘掛部12に載せた状態でアームレスト装置６を操作できるので、操作性が良好になる。
【００４７】
ねじりコイルばね27にロックレバー29の回動軸部31を挿入することで、構成をより簡略化できるとともに、より省スペース化できる。
【００４８】
回転式ラッチ28をねじりコイルばね27の一部に一体に設けることで、例えば回転式ラッチを別体成形する場合のように回転式ラッチをねじりコイルばねに組み付けるなどの必要がなく、組み付け性を向上できるとともに、部品点数の増加を抑制できる。
【００４９】
上部樹脂スリーブを収容筒部21の上端部に設け、この上部樹脂スリーブ内に突出筒部22の下端部を挿入するとともに、この突出筒部22の下端部に下部樹脂スリーブを設けることで、ケース11をシート１に対して上下方向に移動させる際に、これら各樹脂スリーブがそれぞれ突出筒部22の外側面および収容筒部21の内側面に摺接し、突出筒部22の上下動をガイドするので、特にケース11の押し下げの際の操作性を向上できる。
【００５０】
次に、図４に基づき、アームレスト装置の他の実施の形態を説明する。なお、上記図１乃至図３に示された実施の形態と同様の構成および作用については、同一符号を付してその説明を省略する。
【００５１】
この図４に示された実施の形態では、ねじりコイルばね27が、このねじりコイルばね27と別体成形されたロック機構としての固定爪である回転式ラッチ51に挿通固定され、ロックレバー29の回動軸部31が回転式ラッチ51に一体的に嵌着されている。
【００５２】
回転式ラッチ51は、ロックレバー29の回動に伴って一体的に回動するものであり、ねじりコイルばね27が挿通される挿通孔52が貫通して設けられた略円筒状のラッチ本体53と、このラッチ本体53から突出した係合部54とを有している。
【００５３】
挿通孔52は、ラッチ本体53の中心軸近傍を軸方向に貫通して設けられている。
【００５４】
係合部54は、ラッチ本体53の上下方向全体に亘って連続し、このラッチ本体53の径方向に突出している。また、この係合部54は、先端部が回転式ラッチ51の回動方向に鉤状に屈曲され、ロックレバー29の回動に伴う回転式ラッチ51の回動により、係合凹部45，46に対して係脱可能となっている。
【００５５】
そして、上記図４に示された実施の形態では、上記図１乃至図３に示された実施の形態と同様に、ケース11を上方向に付勢するねじりコイルばね27が、ロックレバー29の回動に伴って回動して回転式ラッチ51の係合凹部45，46への係合によるシート１に対するケース11の上下方向位置の固定を解除するとともに回転式ラッチ51を復帰方向に付勢し、復帰方向への回動によりシート１に対するケース11の上下方向位置を、回転式ラッチ51を係合凹部45，46に係合させて固定するとともにロックレバー29の回動を復帰させる機能を兼ねることで、上記図１乃至図３に示された実施の形態と同様の作用効果を奏することができる。
【００５６】
また、回転式ラッチ51をねじりコイルばね27と別体成形し、このねじりコイルばね27に一体的に嵌着することで、例えば回転式ラッチをねじりコイルばねと一体に設ける場合と比較して、回転式ラッチ51を容易に成形できる。
【００５７】
なお、上記図４に示された実施の形態において、図５に示されるように、回転式ラッチ51の挿通孔52の上下にそれぞれ別体のねじりコイルばね27を設ける構成でも、上記図４に示された実施の形態と同様の作用効果を奏することができる。
【００５８】
また、上記各実施の形態において、付勢手段としては、ねじりコイルばね27以外のものを用いることも可能である。
【００５９】
さらに、回転式ラッチ28，51の形状、あるいは係合凹部45，46の形状などは、上記構成に限定されるものではない。
【００６０】
そして、ロックレバー29は、ケース11の可動方向を軸方向とする回動方向成分を少なくとも有する方向に回動すれば、水平方向に回動する以外の構成も可能である。
【図面の簡単な説明】
【００６１】
【図１】本発明に係るアームレスト装置の一実施の形態を一部を切り欠いて示す斜視図である。
【図２】同上アームレスト装置の一部を示す分解斜視図である。
【図３】同上アームレスト装置を備えたシートを示す側面図である。
【図４】同上アームレスト装置の他の実施の形態の一部を示す分解斜視図である。
【図５】同上アームレスト装置のさらに他の実施の形態の一部を示す分解斜視図である。
【符号の説明】
【００６２】
１    シート
６    アームレスト装置
11    本体部としてのケース
27    付勢手段としてのねじりコイルばね
28，51    ロック機構としての固定爪である回転式ラッチ
29    レバーとしてのロックレバー
【図１】
2005152105.tif 000003
【図２】
2005152105.tif 000004
【図３】
2005152105.tif 000005
【図４】
2005152105.tif 000006
【図５】
2005152105.tif 000007